(57)【要約】      （修正有）【課題】コンパクトで、挿脱が容易で、安定に動作可能で、保守が容易な、たとえば、歯科用ハンドピースに用いるベアリングを提供する。【解決手段】ベアリング１は、内側ベアリングリング１０と外側ベアリングリング２０との間に配設された、複数のロール体５、特に、複数のボールと、軸方向において、ロール体を包囲しているケージ６と、内側ベアリングリングと外側ベアリングリングとを相互に軸方向に固定する、固定要素とを有する。固定要素は、リング状のセキアリング・エレメント３０、または、リング・セグメント状のセキアリング・エレメントを有する。セキアリング・エレメントは、当該セキアリング・エレメントが軸方向においてロール体を阻止（ブロック）するように、外側ベアリングリングの内側周面に嵌合しており、または、ケージの領域における内側ベアリングリングの外側周面に嵌合している。【選択図】図２
2014233634.tif 000002
【特許請求の範囲】
【請求項１】
回転可能な部分、たとえば、歯科用ハンドピースのタービンロータを回転可能に装着するためのベアリング（１）であって、
当該ベアリング（１）は、
内側ベアリングリング（１０）と外側ベアリングリング（２０）との間に配設された、複数のロール体（５）、特に、複数のボール（球）と、
軸方向において、前記ロール体（５）を包囲しているケージ（６）と、
前記内側ベアリングリング（１０）と前記外側ベアリングリング（２０）とを相互に軸方向に固定する、固定要素と、
を具備し、
前記固定要素は、リング状のセキアリング・エレメントまたはリング・セグメント状のセキアリング・エレメントを有し、当該セキアリング・エレメントは、当該セキアリング・エレメントが軸方向において前記ロール体（５）を阻止（ブロック）するように、前記外側ベアリングリング（２０）の内側周面に嵌合しており、または、前記ケージ（６）の領域における前記内側ベアリングリング１０）の外側周面に嵌合している、
ベアリング。
【請求項２】
前記セキアリング・エレメント（３０）は、フォームロッキング方法および／またはフォース（力）ロッキング方法で、対応する前記ベアリングリング（１０、２０）に固定されている、ことを特徴とする、
請求項１に記載のベアリング。
【請求項３】
前記セキアリング・エレメント（３０）は、対応する前記ベアリングリング（１０、２０）に固定可能な、弾性要素、特に、樹脂（プラスチック）要素で形成されている、ことを特徴とする、
請求項１または２に記載のベアリング。
【請求項４】
前記セキアリング・エレメント（３０）は、その周辺にわたって、実質的に同一である断面を有する、ことを特徴とする、
請求項１に記載のベアリング。
【請求項５】
前記セキアリング・エレメント（３０）は、当該ベアリングの軸方向において、前記ケージ（６）と重複しない、ことを特徴とする、
請求項１〜４のいずれかに記載のベアリング。
【請求項６】
前記内側ベアリングリング（１０）および前記外側ベアリングリング（２０）の各々は、前記ロール体（５）のための動作面を形成する、デプレッション（窪み）（１１、２１）を有し、前記２つのベアリングリング（１０、２０）の少なくとも１つの場合において、前記デプレッション（窪み）（１１、２１）に隣接して配置されたショルダが平坦になっている、または、グランド・オフである、ことを特徴とする、
請求項１〜５のいずれかに記載のベアリング。
【請求項７】
前記セキアリング・エレメント（３０）は、前記対応するベアリングリング（１０、２０）の前記平坦になっているショルダ、または、前記グランド・オフ状態のショルダの領域に配設されている、ことを特徴とする、
請求項６に記載のベアリング。
【請求項８】
前記第１のセキアリング・エレメント（３０）と対向して、前記２つのベアリングリング（１０、２０）の一方と接続されている、第２のセキアリング・エレメント（２３）が配設されている、ことを特徴とする、
請求項１〜７のいずれかに記載のベアリング。
【請求項９】
前記第２のセキアリング・エレメント（２３）は、対応する前記ベアリングリング（１０、２０）から、他方の前記ベアリングリング（１０、２０）の方向に延びる、アンギュラー・エンド領域（２３）である、ことを特徴とする、
請求項８に記載のベアリング。
【請求項１０】
前記第１のセキアリング・エレメント（３０）および前記第２のセキアリング・エレメント（２３）の両者は、前記外側ベアリングリング（２０）に配設されている、ことを特徴とする、
請求項８または９に記載のベアリング。
【請求項１１】
前記ケージ（６）が、フル・ケージ、または、ソリッド・ケージである、ことを特徴とする、
請求項１〜１０のいずれかに記載のベアリング。
【請求項１２】
回転可能に装着されたエレメントを有する歯科用ハンドピースまたは歯科・医療用ハンドピース（１００）であって、
当該ハンドピース（１００）は、前記エレメントを回転可能に装着するための前記先行する請求項のいずれか１つに基づく、１または複数のベアリング（１）を有する、ことを特徴とする、
ハンドピース。
【請求項１３】
当該ハンドピースは、歯科用タービンハンドピースであり、
前記回転可能に装着されたエレメントは、タービンロータ（１０５）によって形成されている、
ことを特徴とする、
請求項１２に記載のハンドピース。
【発明の詳細な説明】
【技術分野】
【０００１】
本発明は、請求項１の前段部分の記載に基づく回転部を回転可能に装着するベアリング（軸受）に関するものであり、ここで、上記回転部は、たとえば、歯科用ハンドピースのタービンロータ（回転子）であり得る。
本発明はさらに、そのようなベアリングを有する歯科用ハンドピースに関する。
【背景技術】
【０００２】
歯科処理（処置）は、主に、歯の物質を除去するために使用する器具（ツール）を用いて行われる。従来の処理（処置）用歯科器具は歯科ドリルであり、当該歯科ドリルは歯科用ハンドピースのヘッド（頭部）領域内に、通常、回転可能に装着されており、そのドリルによって、歯の物質が除去される。この場合、歯科用ドリルはツールホルダ（器具保持具）内に配設されており、このツールホルダは、歯科用ハンドピースのヘッド領域に位置し、駆動部によって回転することが調整される。この駆動のために、電気駆動部並びにタービンが使用することができる。
【０００３】
たとえば、歯科用タービン・ハンドピースのタービンロータが回転可能に装着されることにより、ベアリングの非常に多様な実施の形態が従来技術から知られている。好ましいベアリングは、「アンギュラー（ａｎｇｕｌａｒ）・コンタクト・ベアリング」として知られている。ベアリングのロール体（ｒｏｌｌ  ｂｏｄｉｅｓ）、すなわち、たとえば、ボール（ｂａｌｌｓ、球）のために動作面（ｒｕｎｎｉｎｇ  ｆａｃｅ）を構成する２つのベアリングリングの一方が、一方の側においてグランド・オフ（ｇｒｏｕｎｄ  ｏｆｆ）である、ショルダ（ｓｈｏｕｌｄｅｒ、肩部）を有する。この装置構成は、それによってボールが相互にある方法で位置される、いわゆる、「ソリッド（ｓｏｌｉｄ、堅牢な）・ケージ」の構築を可能にする。そのようなソリッド・ケージは、安定化技術において重要な利益を有するベアリングをもたらす。
【発明の概要】
【発明が解決しようとする課題】
【０００４】
しかしながら、他方、一方の側でグランド・オフであるベアリングリングの一方のショルダが、軸方向における一方の側でのみ、装着可能（ｌｏａｄａｂｌｅ）とする結果をもたらす。この不利益は、取り付けられたベアリングの場合において、これがまた正確に組み込まれていること想定すると、原理的に些細なことであり、その理由は、動作期間の間、一般に、ベアリングがその主なローディング方向に一致する力のために補償することのみ、必要とするからである。通常、それゆえ、動作期間の間、軸方向には実質的に力が存在しないと仮定して処理している。しかしながら、ベアリングを操作するとき、特に、ベアリングを取り付けたり、取り外すとき、ベアリングまたはベアリングリングが、軸方向に、特に、間違った方向にロードされてしまうこと、および、ベアリングがその個々の部分にバラバラに壊れることが、しばしば、見いだされる。もしこのような事態の場合、ベアリングと回転可能なエレメントを構成している全体構造が、すなわち、たとえば、全体のタービンロータが殆ど使用できなくなり、新規のユニットによって完全に交換することが必要となる。
【０００５】
一方の側でロードされ得ることが可能なそのようなベアリングのその種の破損を防止するため、従来技術から、ある抵抗力によって、ベアリングがバラバラに分解することに対抗する、いわゆる、遠心力円板（ｃｅｎｔｒｉｆｕｇａｌ  ｄｉｓｃ）がベアリングの内側リングに溶接することができることが知られている。この遠心力円板の溶接は、しかしながら、破壊によって信頼性高く試験され得るだけの、比較的信頼性に欠けた接続を示す。さらなる不利益は、この遠心力円板の不正確な位置取りが、歯科用タービンが非常に高速で回転している場合に、動作形態に依存して、非常に否定的な影響を与える、不平衡をもたらすことである。
【課題を解決するための手段】
【０００６】
本発明の目的は、したがって、２つのベアリングリングを相互に固定することを実現しがら、ソリッド・ケージの使用を可能とするベアリングを実現する新規な解を特定することにある。
【０００７】
本発明の目的は、請求項１の特徴を有する回転可能な部分を回転可能に装着するためのベアリングによって実現される。本発明の更なる利益は従属請求項の主題を構成する。
【０００８】
本発明に基づく解は、２つのベアリングリングを相互にセキアリングする（ｓｅｃｕｒｉｎｇ：確実にする、または、安定にする）ためのロッキング（固定）要素として、リング状のセキアリング・エレメントを用いるという思想に基づいており、そのセキアリング・エレメントは、当該セキアリング・エレメントが、軸方向においてロール体をブロック（阻止する）ように、ケージの領域において、２つのベアリングリングの一方に取り外し可能にフィット（ｆｉｔ、嵌合）される。
【０００９】
本発明によれば、回転可能な部分、たとえば、歯科用ハンドピースのタービンロータを回転可能に装着するためのベアリングが提案され、ここで、当該ベアリングは、内側ベアリングリングと外側ベアリングリングとの間に配設された、複数のロール体、特に、複数のボールと、軸方向において、前記ロール体を包囲するケージと、前記内側ベアリングリングと前記外側ベアリングリングとを相互に軸方向に固定する固定要素とを具備しており、本発明に基づいて、前記固定要素は、リング状のセキアリング・エレメント、または、リング・セグメント状のセキアリング・エレメントを有し、当該セキアリング・エレメントは、当該セキアリング・エレメントが軸方向において前記ロール体を阻止（ブロック）するように、前記外側ベアリングリングの内側周面に嵌合しており、または、前記ケージの領域における前記内側ベアリングリングの外側周面に嵌合している。
好ましくは、前記セキアリング・エレメントは、フォームロッキング方法および／またはフォース（力）ロッキング方法で、軸方向において間違ってベアリングがロードされるとき、ロール体をブロックし、ベアリングの破損を防止する。
【００１０】
特に、前記セキアリング・エレメントは、たとえば、樹脂（プラスチック）材料で製造された、弾性要素によって形成されることができ、対応する前記ベアリングリングに、取り外し可能に接続されるとき、特に固定されるとき、その全体が、好ましくは、実質的に均一である断面を有する。
ベアリングを取り付けた後、このセキアリング・リングは、単に、対応するベアリングリングにスナップ（ｓｎａｐ、ぱちんと締まる）ことを必要とし、ベアリングリングが相互に所望の軸方向に固定されること確実にする。
【００１１】
他の方向における軸方向の固定のため、好ましくは、さらに第２のセキアリング・エレメントが設けられ、ベアリングリングの一方に一片が接続される。
この第２のセキアリング・エレメントは、特に、他のベアリングリングの方向において対応するベアリングリングから延びる端部領域にあり、両者のセキアリング・エレメントが組み合わされて、軸方向おける２つのベアリングリングを相互に完全に固定することを保証する。
好ましくは、前記２つのセキアリング・エレメントの両者は、前記外側ベアリングリングに配設されており、その結果、この場合、それらのセキアリング・エレメントは、回転部分とともに回転する必要がなく、特に、全体の装置の可能な動作を否定的に分与しうる可能性のある不平衡な導くことがない。
【００１２】
本発明に基づくベアリングは、好ましくは、上記したアンギュラー・コンタクト・ベアリングの形態に構築される。換言すれば、ベアリングリングは各々、ロール体のための動作面を形成する、デプレッション（窪み）を有し、２つのベアリングリングの少なくとも一方の場合、デプレッション（窪み）に隣接しているショルダ面が平坦になっている、または、グランド・オフである。この態様は、特に、上述した利益的なソリッド・ケージの使用において、ベアリングの取り付けを簡単にすることを可能とする。第１のセキアリング・エレメントは、特に、対応するベアリングリングの平坦なショルダまたはグランド・オフショルダの領域に配設される。
【００１３】
本発明に基づくケージの領域にセキアリング・エレメントを配置する利益は、さらに、この付加的なセキアリング・エレメントが軸方向における全体のベアリング装置の拡大をもたらさないという事実にある。それに代えて、極度にコンパクトなベアリングが提供され、対応するソリッド・ケージの使用の結果として、極度に良好な動作特性がもたらされるが、軸方向における十分なセキュリティが提供されて、ベアリングの取り付けの期間、または、ベアリングの取り外しの期間、ベアリングがばらばらになる分解が起こることはない。そのようなベアリング装置は、種々の技術分野において使用することができ、歯科用ハンドピースは歯科医療用ハンドピースの技術分野への適用に限定されない。
【発明の効果】
【００１４】
本発明によれば、違った方向にベアリングが取り付けられるときもベアリング破壊を防止可能なベアリングが提供される。
【００１５】
また本発明によれば、コンパクトで、安定に動作可能なベアリングが提供される。
【図面の簡単な説明】
【００１６】
【図１】本発明に基づくベアリングが、そこに使用される歯科用タービン・ハンドピースを図示する図である。
【図２】本発明に基づいて構成されたベアリングの断面図である。
【図３】図２から見たベアリングの正面図である。
【図４】取り外し可能に嵌着された固定要素が、そこに配設されたベアリングの端部領域の拡大図である。
【発明を実施するための形態】
【００１７】
本発明について、添付した図面に関連づけて、下記に、より詳細に述べる。
【００１８】
図１は、本発明の可能な例示的な用途として、歯科用タービンハンドピース１００を示しており、当該歯科用ハンドピースは、先端部に配設されているヘッド領域１０２を備えた伸びたグリップ・スリーブ（把持スリーブ）１０１を有する。ヘッド領域１０２には、タービンドライブ（タービン式駆動部）によって歯科処理（処置）するために回転することが調整される（ｓｅｔ）ドリル１１０が設けられている。このため、ヘッド領域１０２には、概略的に示した、タービンロータ（回転子）１０５が設けられており、このタービンロータは、グリップ・スリーブ１０１を介して伸びている圧縮空気ライン１０３によって駆動され、２つのベアリングによって回転可能に装着されている。これらのベアリングは、特に、後述する本発明に基づいて形成されている。
【００１９】
図２に断面が図示され、一般的に、参照符号１が付与されたベアリングは、それゆえ、たとえば、歯科用タービン・ハンドピースのタービンロータを装着することが意図されている。ベアリング１は、通常状態において、２つのベアリングリング、すなわち、内側ベアリングリング１０と外側ベアリングリング２０とを有する。２つのベアリングリング１０、２０の間のリング状（環状）の内部空間に、複数のロール体が配置されており、この場合では、複数のロール体は複数のボール５であり、これらのボール５は、２つのベアリングリング１０、２０の動作面（ｒｕｎｎｉｎｇ  ｆａｃｅｓ、走行面）に沿って回転することができ、その結果、２つのベアリングリング１０、２０が相互に相対的に回転することを可能にする。
【００２０】
複数のボール５は、２つのベアリングリング１０、２０の間の内部空間において均一になるように、ケージ６によって保持されている。ケージ６はリング状に構成されており、それぞれのケージ６はそれぞれのボール５を受け入れる対応する凹部（ｒｅｃｅｓｓ、窪み）７を有する。これらの凹部７はケージ６の全周にわたって均一に分布しており、それにより、複数のボール５が、均一に分布した状態において、内側ベアリングリング１０の外周に沿って動作することが確実になり、その結果として、ベアリング１の円滑な動作が著しく向上する。この場合においては、ケージ６は、その安定性に関して、ベアリング１に更なる改善をもたらす、いわゆる、「ソリッド（ｓｏｌｉｄ、堅牢な）・ケージ」である。
【００２１】
ソリッド・ケージ６とボール５とが相互にフィット（ｆｉｔ、嵌合）することを可能にするため、ベアリング１は、いわゆる、アングュラー（ａｎｇｕｌａｒ、角張った）・コンタクト・ベアリングとして構成されている。この場合、このことは、２つのベアリングリング１０、２０が、実質的には中央領域において、それぞれ、環状（ｃｉｒｃｕｌａｒ）のセグメント型のデプレッション（ｄｅｐｒｅｓｓｉｏｎ、窪み）１１、１２を有しており、これらの窪みは相互に対向して位置し、ボール５のための動作面（走行面）を形成している。他方、しかしながら、内側ベアリングリング１０の場合は、環状のセグメント型のデプレッション（窪み）１１は、内側ベアリングリング１０の隆起した（ｅｌｅｖａｔｅｄ）領域によって、両側に境界が定められ（動きが制限され）、外側ベアリングリング２０の場合は、環状のセグメント型のデプレッション（窪み）２１が右手側に向かって開放している。ここで、対応するショルダー（ｓｈｏｕｌｄｅｒ、肩部）が平らにされ、または、グランド・オフにされ、それにより、図解した軸方向において、内側ベアリングリング１０の外側の面と、外側ベアリングリング２０の内側の面との距離が、右手側に向かう動作面（走行面）を直接境界を定める小さな隆起（ｅｌｅｖａｔｉｏｎ）２２から離れて、増加させられる。そうではあるが、他方、このことは、ベアリング１の設置、すなわち、２つのベアリングリング１０、２０の間に配設されたボール５と共に、２つのベアリングリング１０、２０、および、ケージ６のはめ込み（ｔｅｌｅｓｃｏｐｉｎｇ）が容易になる、または、可能となると、同時に、矢印方向（図２を参照）における外側ベアリングリングに高い荷重がかかる（ｈｉｇｈｌｙ  ｌｏａｄｉｎｇ）という危険をもたらし、すなわち、左側方向に、外側ベアリングリングが、引き離される可能性がある。この場合、ベアリング１はばらばらになる可能性があり、使用することができない。
【００２２】
アングュラー・コンタクト・ベアリングに代表される、この軸方向における不安定さを回避するため、本発明によれば、平坦化されたショルダの領域に配置され、図解の例示において、ボール５の右に配置された、プラスチック（樹脂）リング３０の形態におけるセキアリング・エレメント（ｓｅｃｕｒｉｎｇ  ｅｌｅｍｅｎｔ、確実化要素または安定化要素）が提案される。このプラスチックリング３０は、図解した例示において、グランド・オフ領域または平坦にされた領域において、外側ベアリングリング２０の内部面に配設されている。プラスチックリングは、特に、外側ベアリングリング２０に動かないように固定され（ｌａｔｃｈｅｄ）、または、この外側ベアリングリング内に挿入されたスナップされる（ｓｎａｐｅｄ、ぱちんと締まる）。このことは、外側ベアリングリング２０が対応する円周状のデプレッション（窪み）２５を有する事実によって可能となる。複数のボール５およびケージ６によって２つのベアリングリング１０、２０が相互に結合された後、僅かに可撓性のある（フレキシブルな）セキアリング・リング３０が、端部の面から押し入れられ、ボール５の方向において、セキアリング・リング３０が円周状のデプレッション（窪み）２５内にスナップされる（ぱちんと締まる）まで押圧される。図２に図示した構成は、まだ拡大した尺度の図４に特定したものではないが、その結果として、理解される。
【００２３】
軸方向における図解において、セキュアリング・リング３０がケージ６の領域に配設され、換言すれば、右手側に向かって配設され、高々、非常に小さな突出した長さを有することが理解されよう。この装置構成は、セキュアリング・リング３０が軸方向に付加的な空間を必要としないという結果をもたらし、したがって、ベアリングの構成の拡大を引き起こさない。
【００２４】
図４にさらに図解されように、セキュアリング・リング３０は、その円周にわたって、厚さｄが均一な断面（ｃｒｏｓｓ  ｓｅｃｔｉｏｎ）を有しており、その厚さは、セキュアリング・リングが背後のボール５と係合する軸方向における大きさになっており、または、放射方向から見て、その内面３１を有するベアリングの中心軸から、中心軸から離れたボール５の外周５ａより短い距離である。矢印の方向において発生する外側ベアリングリング２０のローディング（装着、取り付け）の場合には、セキュアリング・リング３０は、今やボール５と衝突し、外側ベアリングリング２０がこの方向にはそれ以上押圧されない。同時に、セキュアリング・リング３０は、軸方向において、または、軸方向から見て、ケージ６と重複（ｏｖｅｒｌａｐ）せず、セキュアリング・リングはケージ６の外側に完全に配設され、それにより、上述した外側ベアリングリング２０のローディングの場合において、セキュアリング・リングは正確にボール５と係合するが、セキュアリング・リング３０と衝突するケージ６とは係合しない。それゆえ、２つのベアリングリング１０、２０は、両者の軸方向から見て、相互にロックされ（固定され）、その結果として、ベアリング１が損傷されるという、上述した危険性が、比較的容易に回避できる。これに関して、セキュアリング・リング３０は均一な断面を持つ必要はないが、種々の変形態様をとることができ、たとえば、セキュアリング・リングを、カム（ｃａｍ）、または、インターラプション（ｉｎｔｅｒｒｕｐｔｉｏｎ）、または、リセス（窪み）とすることもできる。上述したセキアリング機能を保証する限り、リング・セグメント状のセキュアリング・リングの使用も可能である。
【００２５】
さらに、セキュアリング・リング３０と対向して位置する外側ベアリングリング２０の端部に、第２のセキアリング・エレメントまたは、ロッキング・エレメント（固定要素）が形成されている。ここで、端部領域２３が、角張った（ａｎｇｕｌａｒ）付け方法で、構成されており、ここでは、端部領域２３が、内側ベアリングリング１０の外面に対して最小の距離が存在するように、内側に引き込まれている。内側に引き込まれているこの端部領域は、したがって、磨耗（ｇｒｉｎｄｉｎｇ）を回避するため、内側ベアリングリング１０とは接触しない。同時に、しかしながら、それは（端部領域は）、外側ベアリングリング２０が右側に向かって引き抜かれることを防止し、その結果として、軸方向に、究極的に、極めて安定した装置が得られる。
【００２６】
２つのセキアリング・エレメント、すなわち、セキュアリング・エレメント３０、および、内側に引き込まれる端部領域２３のさらなる利益は、内側ベアリングリング１０の２つの端部面から見た場合、小さな自由空間または間隙のみ残るという事実にあり、それにより、さらなるシーリング（封止）対策なしで、ベアリング１の最適な潤滑特性（ｌｕｂｒｉｃａｔｉｎｇ  ｐｒｏｐｅｒｔｉｅｓ）が得られることである。塵芥が防止される一方、他方では、リスク（危険性）が存在せず、潤滑剤が外部に到達し、重要なことは、ベアリング１が非常に低い保守でよいということがある。
【００２７】
重要なことは、それゆえ、ベアリングは、例示的に極度に良好な動作特性によって特徴づけられ、同時に、また、特に、軸方向において、十分な安定度を有し、ベアリングの簡単な取り付けと、除去（取り外し）を可能にする。さらに、セキアリング・エレメントが軸方向においてケージと重複しないという事実を考慮すると、セキアリング対策が、全体の装置構成の軸方向の拡大をもたらさず、それにより、依然として極端にコンパクトなベアリングを実現することができる。これらは、歯科用ハンドピースまたはハンド器具の部分である要素を回転可能に装着するために使用されるだけでなく、種々の分野における適用（用途）における多様な方法に適用することができる。
【００２８】
本発明によれば、回転可能な部分、たとえば、歯科用ハンドピースのタービンロータを回転可能に装着するためのベアリング（１）であって、当該ベアリング（１）は、内側ベアリングリング（１０）と外側ベアリングリング（２０）との間に配設された、複数のロール体（５）、特に、複数のボールと、軸方向において、前記ロール体（５）を包囲しているケージ（６）と、前記内側ベアリングリング（１０）と前記外側ベアリングリング（２０）とを相互に軸方向に固定する、固定要素とを具備する。
前記固定要素は、リング状のセキアリング・エレメント、または、リング・セグメント状のセキアリング・エレメントを有し、当該セキアリング・エレメントは、当該セキアリング・エレメントが軸方向において前記ロール体（５）を阻止（ブロック）するように、前記外側ベアリングリング（２０）の内側周面に嵌合しており、または、前記ケージ（６）の領域における前記内側ベアリングリング１０）の外側周面に嵌合している、ことを特徴とする。
【００２９】
好ましくは、前記セキアリング・エレメント（３０）は、フォームロッキング方法および／またはフォース（力）ロッキング方法で、対応する前記ベアリングリング（１０、２０）に固定されている、ことを特徴とする。
また好ましくは、前記セキアリング・エレメント（３０）は、対応する前記ベアリングリング（１０、２０）に固定可能な、弾性要素、特に、樹脂（プラスチック）要素で形成されている、ことを特徴とする。
さらに好ましくは、前記セキアリング・エレメント（３０）は、その周辺にわたって、実質的に同一である断面を有する、ことを特徴とする。
好ましくは、前記セキアリング・エレメント（３０）は、当該ベアリングの軸方向において、前記ケージ（６）と重複しない、ことを特徴とする。
【００３０】
好ましくは、前記内側ベアリングリング（１０）および前記外側ベアリングリング（２０）の各々は、前記ロール体（５）のための動作面を形成する、デプレッション（窪み）（１１、２１）を有し、前記２つのベアリングリング（１０、２０）の少なくとも１つの場合において、前記デプレッション（窪み）（１１、２１）に隣接して配置されたショルダが平坦になっている、または、グランド・オフである、ことを特徴とする。
さらに好ましくは、前記セキアリング・エレメント（３０）は、前記対応するベアリングリング（１０、２０）の前記平坦になっているショルダ、または、前記グランド・オフ状態のショルダの領域に配設されている、ことを特徴とする。
【００３１】
好ましくは、前記第１のセキアリング・エレメント（３０）と対向して、前記２つのベアリングリング（１０、２０）の一方と接続されている、第２のセキアリング・エレメント（２３）が配設されている、ことを特徴とする。
また好ましくは、前記第２のセキアリング・エレメント（２３）は、対応する前記ベアリングリング（１０、２０）から、他方の前記ベアリングリング（１０、２０）の方向に延びる、アンギュラー・エンド領域（２３）である、ことを特徴とする。
さらに好ましくは、前記第１のセキアリング・エレメント（３０）および前記第２のセキアリング・エレメント（２３）の両者は、前記外側ベアリングリング（２０）に配設されている、ことを特徴とする。
【００３２】
好ましくは、前記ケージ（６）が、フル・ケージ、または、ソリッド・ケージである、ことを特徴とする。
【００３３】
また本発明によれば、回転可能に装着されたエレメントを有する歯科用ハンドピースまたは歯科・医療用ハンドピース（１００）であって、上述したベアリングをことを特徴とする。
好ましくは、当該ハンドピースは、歯科用タービンハンドピースであり、前記回転可能装着されたエレメントは、タービンロータ（１０５）によって形成されている、ことを特徴とする。
【符号の説明】
【００３４】
１…ベアリング
５…ボール
６…ケージ、ソリッド・ケージ
７…凹部（窪み）
１０…内側ベアリングリング
２０…外側ベアリングリング
１１、１２…環状（円形）のセグメント型のデプレッション
２２…小さな隆起
３０…請求項・リング、プラスチック・リング
３１…内面
１００…歯科用タービンハンドピース
１０１…伸びたグリップ・スリーブ（把持スリーブ）
１０２…ヘッド領域
１０３…圧縮空気ライン
１０５…タービンロータ
１１０…ドリル
【図１】
2014233634.tif 000003
【図２】
2014233634.tif 000004
【図３】
2014233634.tif 000005
【図４】
2014233634.tif 000006